(57)【特許請求の範囲】
【請求項１】
マットレスと敷布団とが着脱可能な寝具であって、
前記マットレスは、硬度の等しい複数の中材と、前記複数の中材を被覆するカバーとを備えて、
前記敷布団は、厚さ方向の両端側に設けられたクッション層と、前記両端側に設けられたクッション層の間に配設された中芯層とを備え、前記中芯層は、前記両端側に設けられたクッション層の間から取り出し可能であると共に、前記敷布団の長さ方向に複数の中芯分割体に分割され、前記複数の中芯分割体の硬度は選択可能であることを特徴とする寝具。
【請求項２】
前記中材は、ポリエチレンフォームによって形成された中芯を備えることを特徴とする請求項１に記載の寝具。
【請求項３】
前記中芯分割体は、平板状に形成されていると共に、厚さ方向に貫通する複数の貫通孔が形成され、前記貫通孔には、前記中芯分割体よりも硬く前記貫通孔に相当する形状の柱状体が嵌合可能であることを特徴とする請求項１または２に記載の寝具。
【発明の詳細な説明】
【技術分野】
【０００１】
本発明は、マットレスと敷布団とが着脱可能な寝具に関し、特に、使用者の各身体部分に応じて敷布団の硬度を調整できる寝具に関する。
【背景技術】
【０００２】
従来より、マットレスや敷布団などの寝具には、使用時の快適性と共に、運搬や収納などの容易さが求められている。
使用時の快適性を提供する寝具としては、使用者の身体部分の体圧分布に応じて、部分的に硬度が異なるマットレスや敷布団、敷パッドなどがある。
例えば、特許文献１には、使用時の身体部分の体圧分布に対応して、硬度の異なる複数の合成樹脂発泡体が配置された敷布団用中芯が開示されている。この敷布団用中芯は、就寝姿勢の使用者の頭部、胸部、腰部および脚部を各体圧に応じて支持している。
【０００３】
また、運搬や収納などが容易な寝具としては、特許文献２に、マットレスとパッドとが着脱可能なパッドつきマットレスが開示されている。このマットレスは、それぞれ折りたたみ可能な複数の部材からなり、これらの部材を並べてパッドで覆うことにより、マットレスが形成される。そして、マットレスが分割されていることにより、運搬時や収納時にはコンパクトに折りたたむことができ、またパッドはマットレスから取り外して洗濯可能である。
【先行技術文献】
【特許文献】
【０００４】
【特許文献１】特開平１１−２１６０４２号公報
【特許文献２】特開２００８−１８３３６６号公報
【発明の概要】
【発明が解決しようとする課題】
【０００５】
主に、マットレスはその上部に敷布団や敷パッドが敷かれた状態で使用されているため、身体部分の体圧分布に対応させてマットレスの硬度を部分的に変化させたとしても、マットレスの硬度の違いは、敷布団や敷パッドによって緩和されてしまい、使用者に効率的に伝わらなかった。
また、特許文献１に記載の敷布団用中芯を使用する敷布団では、使用者の体調の変化や、好みの変化などによって任意に硬度を変化させることができなかった。
また、特許文献２のパッドつきマットレスは、運搬や収納をしやすくすることを目的としたもので、使用時の快適性については従来品と変わらないものと考えられる。
【０００６】
本発明は、上述する事情に鑑みてなされたもので、使用者の各身体部分に応じて敷布団の硬度を調整できると共に、運搬や収納などを容易に行うことができる寝具を提供することを目的とする。
【課題を解決するための手段】
【０００７】
上記目的を達成するため、本発明に係る寝具は、マットレスと敷布団とが着脱可能な寝具であって、前記マットレスは、硬度の等しい複数の中材と、前記複数の中材を被覆するカバーとを備えて、前記敷布団は、厚さ方向の両端側に設けられたクッション層と、前記両端側に設けられたクッション層の間に配設された中芯層とを備え、前記中芯層は、前記両端側に設けられたクッション層の間から取り出し可能であると共に、前記敷布団の長さ方向に複数の中芯分割体に分割され、前記複数の中芯分割体の硬度は選択可能であることを特徴とする。
【０００８】
本発明では、中芯層は、敷布団の長さ方向に複数の中芯分割体に分割され、複数の中芯分割体の硬度は選択可能であることにより、敷布団の硬度を使用時の身体部分の体圧分布に対応して部分的に変化させることができる。
そして、中芯層は、両端側に設けられたクッション層の間から取り出し可能であることにより、中芯層の中芯分割体を交換すれば、敷布団の硬度を使用者の体調や好みなどによって調整することができる。
また、マットレスの硬度は変化させず、マットレスよりも使用者に近い位置の敷布団の硬度を変化させているので、使用者に敷布団の硬度の違いが効率的に伝達する。
また、マットレスは、複数の中材と、複数の中材を被覆するカバーとを備えることにより、カバーを外し複数の中材をそれぞれ分けることで運搬や収納が行いやすい。
【０００９】
また、本発明に係る寝具では、前記中材は、ポリエチレンフォームによって形成された中芯を備えることが好ましい。
このように、中材は、ポリエチレンフォームによって形成された中芯を備えることにより、中材の中芯にスプリングやポリウレタンフォーム、ラテックスなどを使用する従来のマットレスと比べて軽量とすることができ、マットレスの組み立てや運搬が行いやすい。
【００１０】
また、本発明に係る寝具では、前記中芯分割体は、平板状に形成されていると共に、厚さ方向に貫通する複数の貫通孔が形成され、前記貫通孔には、前記中芯分割体よりも硬く前記貫通孔に相当する形状の柱状体が嵌合可能である構成としてもよい。
このような構成により、中芯分割体の貫通孔に柱状体を挿入すれば、中芯分割体の硬度を高くすることができると共に、中芯層がへたれるのを抑制することができる。
また、柱状体を挿入する貫通孔の数や、柱状体の硬度を調整することにより、中芯分割体を所望の硬度に調整することができる。
【発明の効果】
【００１１】
本発明によれば、敷布団は、中芯層が、敷布団の両端側に設けられたクッション層の間から取り出し可能であり、中芯層を構成する複数の中芯分割体の硬度が選択可能であることにより、部分的に中芯層の硬度を変化させて、敷布団の硬度を調整することができると共に、マットレスは複数の中材に分けることができて、運搬や収納が行いやすい。
【図面の簡単な説明】
【００１２】
【図１】本発明の第一の実施の形態による寝具の一例を示す分解斜視図である。
【図２】図２は図１のＡ−Ａ線断面図である。
【図３】（ａ）は本発明の第二の実施の形態による寝具の一例を示す側面図、（ｂ）は（ａ）のＢ−Ｂ線断面図である。
【図４】（ａ）は本発明の第一の実施の形態による寝具の一例を示す側面図、（ｂ）は敷布団中芯層の一例を示す図、（ｃ）は、（ｂ）の部分拡大図である。
【図５】本発明の第一の実施の形態の変形例を示す図である。
【図６】マットレスカバーの変形例を示す図である。
【発明を実施するための形態】
【００１３】
（第一の実施の形態）
以下、本発明の第一の実施の形態による寝具について、図１および図２に基づいて説明する。
図１および２に示すように、第一の実施の形態による寝具１は、マットレス２と、マットレス２と着脱可能な敷布団３とから概略構成される。マットレス２および敷布団３には、それぞれ対向する面にファスナー片４、５が設けられている。これらのファスナー片４、５を係止させることでマットレス２と敷布団３とが一体化し、ファスナー片４、５を離すことでマットレス２と敷布団３とが離間する。
【００１４】
マットレス２は、長さ方向に配列された略長方形状の３つの中材１１と、この３つの中材１１を被覆するマットレスカバー１２とから構成される。隣り合う中材１１は、その側面１１ａが密接している。また、３つの中材１１は硬度が等しく形成されている。
マットレスカバー１２は、略直方体状に形成され、中材１１を出し入れする開口部１３が形成され、開口部１３には、開口部１３を開閉するファスナー１４が設けられている。
マットレスカバー１２は、３つの中材１１が配列されて形成される略長方形と同じ形状である。
【００１５】
図２に示すように、中材１１は、略直方体状の中材本体１５が図示しない袋状のカバー内に収容されている。中材本体１５は、厚さ方向に多層構造である。本実施の形態では、中材１１に、マットレス２の敷布団３が装着される側から反対側に向って、マットレスクッション層１７、吸湿層１９、マットレス中芯層１８、吸湿層１９が配設されている。
ここで、マットレス２に対して、敷布団３が装着される側を上側とし、その反対側を下側として、マットレス２や敷布団３の厚さ方向を上下方向として以下説明する。
【００１６】
マットレスクッション層１７は、マットレス中芯層１８の上側を被覆する弾力性のあるクッション体となるもので、ハニカムメッシュのポリエステルで形成されている。なお、マットレスクッション層１７は、ハニカムメッシュのポリエステルに代わって、天然繊維やポリエステル以外の合成繊維などで形成されてもよい。
マットレス中芯層１８は、マットレス２の芯材となり、所定の硬度を有している。本実施の形態では、マットレス中芯層１８はポリエチレンフォームで形成されている。
【００１７】
吸湿層１９は、マットレス２内の吸湿を目的として配設されていて、ウールやウール混綿加工綿などで形成されている。また、吸湿層１９は、難燃繊維のウールを含むことにより、マットレス２に耐火性能を付与することができる。本実施の形態のマットレス２は、マットレス中芯層１７のポリエチレンフォームをウールやウール混綿加工綿で形成された吸湿層１９で挟んでいるので、万が一マットレス２の表面に引火しても、マットレス中芯層１７のポリエチレンフォームに引火しない構造とすることができる。
なお、吸湿層１９は、ウールやウール混綿加工綿に代わって、東洋紡績社製アクリレート系繊維「モイスケア」などのほかの材料で形成されてもよい。
【００１８】
敷布団３は、上下方向に３層構造に形成されていて、上側に配設された敷布団上側クッション層２１と、下側に配設された敷布団下側クッション層２２と、敷布団上側クッション層２１および敷布団下側クッション層２２の間に配設された敷布団中芯層２３とから構成されている。
敷布団上側クッション層２１および敷布団下側クッション層２２は、袋体に綿が収容された構造である。
【００１９】
敷布団中芯層２３は、敷布団３の長さ方向に３つに分割された中芯分割体２３ａ、２３ｂ、２３ｃからなり、３つの中芯分割体２３ａ、２３ｂ、２３ｃは敷布団３の長さ方向に配列された状態で図示しないカバーに収容されている。
中芯分割体２３ａ、２３ｂ、２３ｃは、弾力性を有すると共にそれぞれ異なる硬度に形成され、個々に図示しない袋状のカバーに収容されている。中芯分割体２３ａ、２３ｂ、２３ｃは、合成樹脂発泡体や、綿、羊毛などの天然繊維、ナイロン、ポリエステルなどの合成繊維などから形成されている。
【００２０】
敷布団３の長さ方向に配列された中芯分割体２３ａ、２３ｂ、２３ｃは、敷布団３上に使用者が就寝姿勢となった際に、中芯分割体２３ａが使用者の頭部側に位置し、中芯分割体２３ｂが使用者の腰部に位置し、中芯分割体２３ｃが使用者の足先側に位置している。
【００２１】
このとき、中芯分割体２３ａの硬度を硬度Ａ、中芯分割体２３ｂの硬度を硬度Ｂ、中芯分割体２３ｃの硬度を硬度Ｃとすると、使用者の腰部に位置する中芯分割体２３ｂの硬度Ｂを他の硬度Ａ、硬度Ｃよりも高くし（ハード）、使用者の脚部に位置する中芯分割体２３ｃの硬度Ｃを他の硬度Ａ、硬度Ｂよりも低くし（ソフト）する。そして、使用者の頭部に位置する中芯分割体２３ａの硬度Ａを硬度Ｂと硬度Ｃとの間とする（ミドル）。
このように中芯分割体２３ａ、２３ｂ、２３ｃの硬度Ａ、Ｂ、Ｃを調整することで、就寝時に使用者の腰部に対応する中芯分割体２３ｂが他よりも硬いので、使用者の腰部が敷布団３に沈みにくく、就寝時の姿勢を快適に保つことができる。
なお、中芯分割体２３ａ、２３ｂ、２３ｃの硬度の組み合わせは、任意に設定することができ、３つの内の２つまたは全部を同じ硬度としてもよい。
このように、使用者の体圧や好みによって、各中芯分割体２３ａ、２３ｂ、２３ｃの硬度を選択する。
【００２２】
次に、第一の実施の形態による寝具１の組み立て方法について説明する。
まず、マットレスカバー１２内に中材１１を並べて挿入し、ファスナー１４を閉じてマットレス２を形成する。
次に、敷布団中芯層２３の中芯分割体２３ａ、２３ｂ、２３ｃを所望の硬度にあわせて設置する。そして、敷布団上側クッション層２１および敷布団下側クッション層２２との間に敷布団中芯層２３を挿入し、敷布団３を形成する。
そして、マットレス２の上部に敷布団３を設置し、マットレス２および敷布団３のファスナー片４、５を係止させて、マットレス２と敷布団３とを一体化させることで本実施の形態による寝具１が完成する。
【００２３】
ここで、敷布団３の硬度を調整するには、敷布団上側クッション層２１および敷布団下側クッション層２２との間から敷布団中芯層２３を取り出し、中芯分割体２３ａ、２３ｂ、２３ｃを任意の硬度に変更する。そして、敷布団中芯層２３を敷布団上側クッション層２１および敷布団下側クッション層２２との間に戻すことで、敷布団３の硬度が調整される。
また、運搬時や収納時には、マットレス２と敷布団３とを分離し、マットレス２はマットレスカバー１２と中材１１とに分解し、敷布団３は、敷布団上側クッション層２１と敷布団下側クッション層２２の間から敷布団中芯層２３を取り出して、それぞれを折りたたむことで、コンパクトなの形状となり運搬や収納することができる。
なお、敷布団３は、敷布団中芯層２３を敷布団上側クッション層２１と敷布団下側クッション層２２の間から取り出さずに、そのまま折りたたんで運搬、収納することもできる。
【００２４】
次に、上述した第一の実施の形態による寝具の効果について図面を用いて説明する。
本実施の形態による寝具１によれば、敷布団中芯層２３は、任意の硬度の中芯分割体２３ａ、２３ｂ、２３ｃを組み合わせて形成されていると共に、敷布団上側クッション層２１と敷布団下側クッション層２２の間から取り出すことができるので、中芯分割体２３ａ、２３ｂ、２３ｃの硬度を調整することで敷布団３の硬さを任意に調整することができる効果を奏する。
そして、マットレス２の硬度を一定とし、敷布団３の硬度を変化させることで、使用者に敷布団３の硬度の違いが効率的に伝達する。
また、マットレス２と敷布団３とがファスナー片４、５を係止させることで一体化するので、使用時にマットレス２と敷布団３とが離れたり、ずれたりすることがない。
また、マットレス２は、中材１１にポリエチレンフォームが使用されていることにより、中材にスプリングやポリウレタンフォーム、ラテックスなどを使用する従来のマットレスと比べて軽量とすることができ、マットレス２の組み立てや運搬が行いやすい。
また、マットレス２は、３つの中材１１がマットレスカバー１２内に配列された構成であることにより、３つの中材１１分離すればコンパクトな形状となるので、運搬や収納を容易に行うことができる。
【００２５】
次に、他の実施の形態について、添付図面に基づいて説明するが、上述の第一の実施の形態と同一又は同様な部材、部分には同一の符号を用いて説明を省略し、第一の実施の形態と異なる構成について説明する。
（第二の実施の形態）
図３（ａ）、（ｂ）に示すように、第二の実施の形態による寝具３１は、マットレス２と敷布団３との間に、高さ調整部３２が配設されている。
高さ調整部３２は、平面視でマットレス２および敷布団３を略同じ長方形状で、厚さＤが例えば５センチの高さ調整中芯３３と、高さ調整中芯３３の側方に設けられる帯部材３４とから構成される。
【００２６】
帯部材３４は、幅Ｗが高さ調整部３３の厚さＤと略同じ寸法で、長さＬがマットレス２および敷布団３の長さと略同じ帯状の布で、幅方向の両端部にファスナー片３５、３６を備えている。このファスナー片３５、３６は、一方がマットレス２のファスナー片４と着脱可能であり、他方が敷布団３のファスナー片５と着脱可能である。
高さ調整中芯３３をマットレス２と敷布団３との間に配設すると共に、帯部材３４のファスナー片３５、３６をそれぞれマットレス２および敷布団３のファスナー片４、５と係止させると、帯部材３４が高さ調整中芯３３の幅方向の変位を拘束する。高さ調整中芯３３は幅方向の変位が拘束されることで、マットレス２および敷布団３から離間しにくい構造となる。
このように、マットレス２および敷布団３を一体化し、マットレス２および敷布団３と高さ調整部３２とを離間しにくい構造にする共に、高さ調整中芯３３の厚さＤの寸法分だけ寝具３１全体の高さを高くする。
第二の実施の形態による寝具３１によれば、高さ調整部材３２を装着することで、寝具３１の高さのを任意の高さにすることができる。
なお、本実施の形態では、高さ調整部３２の厚さＤは５ｃｍとしているが、これ以外の厚さとしてもよい。
【００２７】
（第三の実施の形態）
次に、第三の実施の形態による寝具について説明する。
図４（ａ）に示す第三の実施の形態による寝具５１は、敷布団５２の敷布団中芯層５３の中芯分割体５３ａ、５３ｂ、５３ｃが、平板状に形成されていて、厚さ方向に貫通する多数の貫通孔５４（図４（ｂ）参照）が形成されている。
中芯分割体５３ａ、５３ｂ、５３ｃは、例えば、ポリエステル固綿から形成されている。
【００２８】
図４（ｂ）に示すように、貫通孔５４は、中芯分割体５３ａ、５３ｂ、５３ｃの長さ方向と幅方向に配列されている。
図４（ｂ）、（ｃ）に示すように、この貫通孔５４は、中芯分割体５３ａ、５３ｂ、５３ｃよりも硬い、例えば、ポリエチレンフォームで柱状に形成された柱状体５５が嵌合可能に構成されている。本実施形態では、貫通孔５４は円筒状に形成され、柱状体５５は円柱状に形成されている。
【００２９】
中芯分割体５３ａ、５３ｂ、５３ｃは、貫通孔５４に柱状体５５が挿入されることによって、貫通孔５４に柱状体５５が挿入されていない状態と比べて、硬度が高くなると共にへたりにくい構造となる。そして、複数の貫通孔５４のうち、いくつかの貫通孔５４に柱状体５５を挿入することによって、中芯分割体５３ａ、５３ｂ、５３ｃの硬度を調整することができる。
例えば、各中芯分割体５３ａ、５３ｂ、５３ｃは、柱状体５５が挿入された貫通孔５４の数が多いほど硬くなり、所定の領域に配された貫通孔５４に柱状体５５を挿入することで、中芯分割体５３ａ、５３ｂ、５３ｃの所定の領域の硬度を高くすることができる。
更に、異なる硬度の複数の柱状体５５を使用することで、中芯分割体５３ａ、５３ｂ、５３ｃの硬度を、より細かく調整することができる。
本実施の形態では、使用者（不図示）の肩や胸部、腰部に対応する位置およびその近傍の貫通孔５４に、柱状体５５を挿入している。
【００３０】
第三の実施の形態による寝具５１によれば、中芯分割体の５３ａ、５３ｂ、５３ｃ硬度を調整できることにより、第一の実施の形態と同様の効果を奏する。
【００３１】
以上、本発明による寝具の実施の形態について説明したが、本発明は上記の実施の形態に限定されるものではなく、その趣旨を逸脱しない範囲で適宜変更可能である。
例えば、上述した実施の形態では、マットレス２は３つの中材１１を備えているが、２つや４つの中材１１をマットレスカバー１２に入れる構成としてもよく、これ以外の個数の中材１１としてもよい。
また、上述した実施の形態では、マットレス中芯層１８は、ポリエチレンフォームで形成されているが、天然繊維や合成繊維、ポリエチレンフォーム以外の合成樹脂発砲体などで形成されてもよい。また、図５に示すように、マットレス中芯層１８は、天然繊維や合成繊維、またポリエチレンフォーム４２以外の合成樹脂発砲体などの材料４１をポリエチレンフォーム４２で挟んだ構造としてもよく、図２に示すマットレスクッション層１７を設けなくてもよい。
【００３２】
また、上述した実施の形態では、敷布団中芯層２３は３つの中芯分割体２３ａ、２３ｂ、２３ｃとから構成されているが、２つや４つの中芯分割体から構成されていてもよく、これ以外の個数の中芯分割体から構成されていてもよい。
また、上述した実施の形態では、敷布団上側クッション層２１、敷布団下側クッション層２２には、綿が収容されているが、綿に代わって羊毛などの天然繊維やナイロンやポリエステルなどの合成繊維が収容されていてもよい。
また、本実施の形態では、マットレス２、敷布団３、高さ調整部３２を係止させる部材としてファスナー（ファスナー片４、５、３５、３６）を採用しているが、ファスナーに代わって、各部材に紐を設けてこれらの紐を結ぶ構成としてもよいし、面ファスナーなどを設けて係止させる構成としてもよく、また、このほかの係止具を設けてもよい。
また、本実施の形態では、マットレスカバー１２は、略直方体状に形成され、内部へ中材１１を出し入れするための開口部１３およびこの開口部１３を開閉するファスナー１４が上面に設けられているが（図１参照）、図６に示すように、内部に中材１１を出し入れするための開口部を開閉するファスナー１４がマットレスカバー１２の側面に設けられていてもよく、１つのマットレスカバー１２に複数のファスナー１４が設けられていてもよい。
また、本実施の形態では、マットレスクッション層１７は、ハニカムメッシュのポリエステルで形成されているが、高弾性ウレタンで形成されていてもよく、幅方向の中央側と外側で硬度の異なる高弾性ウレタンを配設してもよい。例えば、マットレスクッション層１７の幅方向の中央側に外側よりも硬度の高い高弾性ウレタンを配設してもよい。このようにすることで、マットレスクッション層１７の幅方向の中央側がへたるのを抑制することができる。この高弾性ウレタンで形成されたマットレスクッション層１７には、厚さ方向に貫通する複数の通気孔が形成されていることが好ましい。
【符号の説明】
【００３３】
１  寝具
２  マットレス
３  敷布団
１１  中材
１５  中材本体
２１  敷布団上側クッション層（クッション層）
２２  敷布団下側クッション層（クッション層）
２３  敷布団中芯層（中芯層）
２３ａ、２３ｂ、２３ｃ  中芯分割体
【図１】
0005622146.tif 000002
【図２】
0005622146.tif 000003
【図３】
0005622146.tif 000004
【図４】
0005622146.tif 000005
【図５】
0005622146.tif 000006
【図６】
0005622146.tif 000007